(57)【要約】【課題】誤使用による感電や埃による放電を防止する。【解決手段】モータ３３の回転軸に固定されたシロッコファン３５を本体１内に配設し、該本体１内に、シロッコファン３５により外部の空気を吸気する空気吸引流路１６と、シロッコファン３５の周囲を通って空気排出口８から清浄した空気を外部に循環供給する空気排出流路６とを設け、空気吸引流路１６にフィルタ３９を配設するとともに、空気排出流路６に循環供給する空気中の微粒子をマイナスイオン化するマイナスイオン発生装置４０を配設した空気清浄機において、マイナスイオン発生装置４０を、空気排出流路６の空気排出口８から該空気排出流路６内を臨んだ状態で、シロッコファン３５の背部に位置するように配設する。【選択図】　図１
2004073930.tif 000002
【特許請求の範囲】
【請求項１】
モータの回転軸に固定されたシロッコファンを本体内に配設し、該本体内に、前記シロッコファンにより外部の空気を吸気する空気吸引流路と、前記シロッコファンの周囲を通って空気排出口から清浄した空気を外部に循環供給する空気排出流路とを設け、前記空気吸引流路にフィルタを配設するとともに、前記空気排出流路に循環供給する空気中の微粒子をマイナスイオン化するマイナスイオン発生装置を配設した空気清浄機において、
前記マイナスイオン発生装置を、前記空気排出流路の空気排出口から該空気排出流路内を臨んだ状態で、前記シロッコファンの背部に位置するように配設したことを特徴とする空気清浄機。
【発明の詳細な説明】
【０００１】
【発明の属する技術分野】
本発明は、空気清浄機に関するものである。
【０００２】
【従来の技術】
本願発明に関連する先行技術文献情報としては次のものがある。
【０００３】
【特許文献１】
特開平１１−１９２４４２号公報（段落［００１０］、図３）
【０００４】
従来の空気清浄機は、前記特許文献１に記載されているように、フィルタ、モータおよびシロッコファンを有し、シロッコファンによる吸引力で室内の空気を前面側から吸引し、フィルタを通過させて集塵・脱臭を行ない、清浄な空気を室内に循環供給するものである。また、この空気清浄機には、清浄した空気を循環供給するための空気排出流路に一対の電極が配設され、これらの間に電圧を印加することにより、循環供給する空気中の微粒子をマイナスイオン化するマイナスイオン発生装置が搭載されている。
【０００５】
【発明が解決しようとする課題】
しかしながら、前記マイナスイオン発生装置は、高電圧を印加するものであるため、ユーザが動作中に棒状の部材を空気排出流路の空気排出口から差し込むなどの誤った使用方法をした場合、感電の可能性がある。なお、前記空気排出口には、格子やルーバーなどを設け、埃などの進入を抑制できる構成としているが、空気を吹き出していない停止時に前記マイナスイオン発生装置の電極に埃が付着した場合、その埃により放電が発生する可能性がある。
【０００６】
そこで、本発明では、誤使用による感電や埃による放電の可能性が無くすことができる空気清浄機を提供することを課題とするものである。
【０００７】
【課題を解決するための手段】
前記課題を解決するため、本発明の空気清浄機は、モータの回転軸に固定されたシロッコファンを本体内に配設し、該本体内に、前記シロッコファンにより外部の空気を吸気する空気吸引流路と、前記シロッコファンの周囲を通って空気排出口から清浄した空気を外部に循環供給する空気排出流路とを設け、前記空気吸引流路にフィルタを配設するとともに、前記空気排出流路に循環供給する空気中の微粒子をマイナスイオン化するマイナスイオン発生装置を配設した空気清浄機において、前記マイナスイオン発生装置を、前記空気排出流路の空気排出口から該空気排出流路内を臨んだ状態で、前記シロッコファンの背部に位置するように配設した構成としている。
【０００８】
【発明の実施の形態】
以下、本発明の実施の形態を図面に従って説明する。
図１は、本発明の実施形態に係る空気清浄機を示す。この空気清浄機は、大略、本体１と、該本体１の内部に配設したモータ３３、シロッコファン３５、フィルタ３９およびマイナスイオン発生装置４０とからなる。
【０００９】
前記本体１は、大略、本体ケース２と、側面カバー２１Ａ，２１Ｂと、前面カバー２５と、後面カバー２９と、上面カバー３２とからなり、これらは全て合成樹脂によって形成されている。
【００１０】
前記本体ケース２は、図１および図２（Ａ），（Ｂ）に示すように、前壁３と、該前壁３の両端から後側に延びる側壁４と、該側壁４の後端から外側に延びるブラケット壁部５とからなる後面開口の矩形状の箱体からなる。前記前壁３の後面には、後述するシロッコファン３５の周囲を通って清浄した空気を外部に循環供給する空気排出流路６を形成するための隔壁７が一体に突設されている。この隔壁７の上端は、清浄した空気を室内に循環供給する空気排出口８を構成する。また、この隔壁７の開口した後端は、後プレート９をネジ止めすることにより閉塞されている。なお、この後プレート９には、空気排出流路６の略中央に位置するように空気流通口１０が設けられている。また。前記本体ケース２の正面側には、フィルタ配設部１１が設けられ、このフィルタ配設部１１の上下は外向きに膨出する膨出部１２とされている。
【００１１】
前記前壁３には、前方から吸引した室内の空気を前記空気排出流路６内に前側から通すための多数の第１空気流通口１３が形成されている。また、前記側壁４には、側方から吸引した室内の空気を前記空気排出流路６内に後側から通すための多数の第２空気流通口１４が形成されている。さらに、前記ブラケット壁部５には、後方から吸引した室内の空気を前記第２空気流通口１４の外側に通し、該第２空気流通口１４または前記第１空気流通口１３を通して前記空気排出流路６内に空気を通すための多数の第３空気流通口１５が形成されている。これら空気流通口１３，１４，１５により、後述するシロッコファン３５により外部の空気を吸気する空気吸引流路１６が形成される。
【００１２】
本実施形態の本体ケース２には、後述する側面カバー２１Ａ，２１Ｂを着脱可能に取り付けるために、ブラケット壁部５に第１係止孔１７が設けられるとともに、上下の膨出部１２に係止穴１８が設けられている。また、前面カバー２５を着脱可能に取り付けるために、本体ケース２の上側の膨出部１２に引掛穴１９が設けられるとともに、下側の膨出部１２に第２係止孔２０が設けられている。
【００１３】
前記側面カバー２１Ａ，２１Ｂは、図１および図３に示すように、左右対称な形状をなすもので、空気を通すための多数のスリット２２が水平方向に延びるように設けられている。本実施形態の側面カバー２１Ａ，２１Ｂは、前記本体ケース２の側面に着脱可能に取り付けられるもので、前記第１係止孔１７に係止する第１係止部２３と、前記係止穴１８に係止する第２係止部（図示せず）とが設けられている。また、側面カバー２１Ａ，２１Ｂの前面側端縁には、後述する前面カバー２５の外周縁が係止する係止段部２４が設けられている。
【００１４】
前記前面カバー２５は、図３および図４（Ａ）に示すように、前記本体ケース２の前面に着脱可能に取り付けられるもので、その外周縁が前記側面カバー２１Ａ，２１Ｂの係止段部２４に係合する形状をなす。この前面カバー２５には、空気を通すための多数のスリット２６が水平方向に延びるように設けられている。また、この前面カバー２５には、前記引掛穴１９に対応する引掛部２７と、前記第２係止孔２０に貫通係止する係止部２８とが設けられている。
【００１５】
前記後面カバー２９は、図１および図４（Ｂ）に示すように、前記本体ケース２の後面にネジ止めによって固定されている。この後面カバー２９には、前記本体ケース２の第３空気流通口１５と対応する位置に多数の通気孔３０が設けられている。また、この通気孔３０の内側には、該通気孔３０から吸引した室内の空気が直接シロッコファンに至らないようにするための仕切壁３１が設けられている。
【００１６】
前記上面カバー３２は、前記本体ケース２の空気排出流路６の空気排出口８と一致する格子状に区画された空気排出部（図示せず）が設けられるとともに、操作パネル（図示せず）を配設したものである。
【００１７】
前記モータ３３は、前記本体ケース２の空気排出流路６内に固定されており、その回転軸３４は後面カバー２９に向け延びるように配置されている。
【００１８】
前記シロッコファン３５は、円形の支持板３６と、該支持板３６の外周部に配設された多数の羽根３７とからなる。このシロッコファン３５は、支持板３６の取付孔に前記モータ３３の回転軸３４を挿入し、ナット等で固定されている。また、前記支持板３６には、後プレート９の空気流通口１０と一致する空気流通口３８が形成されている。なお、このシロッコファン３５の取付状態では、図２（Ｂ）に示すように、その中心点Ｏが前記空気排出口８の一端に位置し、前記空気排出口８からは約１／３程度の部分しか見えない配置状態とされている。
【００１９】
前記フィルタ３９は、０．３μｍの微粒子に対して９９．９７％以上の初期集塵効率を備えたＨＥＰＡ（Ｈｉｇｈ　Ｅｆｆｉｃｉｅｎｃｙ　Ｐａｒｔｉｃｕｌａｔｅ　Ａｉｒ）フィルタを蛇腹折りしたもので、本体ケース２に対して前面側から側面側にかけて凹字形状に配置される構成としている。
【００２０】
前記マイナスイオン発生装置４０は、従来と同様に一対の電極を備え、これら電極間に高電圧を印加することによりこれら電極間に介在する空気中の微粒子をマイナスイオン化するものである。このマイナスイオン発生装置４０は、前記空気排出流路６内において、前記空気排出口８から該空気排出流路６内を臨んだ状態で、前記シロッコファン３５の背部に位置するように配設されている。
【００２１】
具体的には、図２（Ｂ）に示すように、マイナスイオン発生装置４０は、空気排出口８から室内に循環供給される空気の供給方向と対向するように、前記空気排出口８から空気排出流路６内を臨んだ状態で、シロッコファン３５によって隠れるように背部（図中では下部）に位置するように、前記隔壁７に沿うコロナ放電方式で取り付けられている。言い換えれば、マイナスイオン発生装置は、上端に位置する空気排出口８から空気排出流路６内である真下を臨み、前記シロッコファン３５の見える部分の最外端に位置するラインａより、モータ３３の回転軸３４の方向に位置し、かつ、前記ラインａの近傍に位置するように配設されている。また、このマイナスイオン発生装置４０は、図中矢印で示すように、そのイオンの放出方向がシロッコファン３５の周囲を流動する清浄空気の流れに沿う方向とされている。
【００２２】
このように構成した空気清浄機では、動作中にユーザが棒状の部材を空気排出口８から差し込んでも、この棒状部材は前記シロッコファン３５に当接し、マイナスイオン発生装置４０の電極には干渉することができない。そのため、ユーザの誤使用による感電を確実に防止できる。
【００２３】
また、本実施形態では、清浄した空気の空気排出口８が上端に位置しているため、非使用状態などではこの空気排出口８から空気排出流路６内に埃が入り込む。しかし、前記マイナスイオン発生装置４０は、前記空気排出口８から臨んでシロッコファン３５の背部（下部）に位置するため、その電極に埃が付着することはない。そのため、埃が付着することによる放電の発生を確実に防止できる。
【００２４】
さらに、本実施形態では、マイナスイオン発生装置４０は、シロッコファン３５の見える部分の最外端に位置するラインａの近傍、即ち、シロッコファン３５の背部で、最も空気排出口８に近い位置に配設されているため、清浄した空気とともに確実にマイナスイオンを室内に供給することができる。
【００２５】
前記構成の空気清浄機は、図示しない制御手段によって、前記モータ３３およびマイナスイオン発生装置４０を制御し、従来と同様に、マイナスイオンを出力しながら所定の風量で室内の空気を清浄する空気清浄モード、および、空気清浄は行うことなくマイナスイオンのみを室内に供給するマイナスイオンモードを実行する。
【００２６】
前記空気清浄モードでは、制御手段は、モータ３３を動作させてシロッコファン３５を回転させるとともに、前記マイナスイオン発生装置４０を動作させる。
【００２７】
これにより、空気清浄機の前方の空気は、前面カバー２５のスリット２６から空気清浄機内部に吸引される。そして、この前方から吸引された空気は、フィルタ３９の前面部を通過することにより清浄され、第１の空気吸引流路１６を構成する前壁３の第１空気流通口１３を通ってシロッコファン３５に至る。
【００２８】
また、空気清浄機の側方の空気は、側面カバー２１Ａ，２１Ｂのスリット２２から空気清浄機内部に吸引される。そして、この側方から吸引された空気は、フィルタ３９の側面部を通過することにより清浄され、第２の空気吸引流路１６を構成する側壁４の第２空気流通口１４を介してシロッコファン３５の後方に至る。なお、一部の空気は、フィルタ３９と本体ケース２の側壁４および前壁３との隙間と、前壁３の第１空気流通口１３とを通ってシロッコファン３５に至る。
【００２９】
さらに、空気清浄機の後方の空気は、後面カバー２９の通気孔３０から側面カバー２１Ａ，２１Ｂの内側に吸引される。そして、この後方から吸引された空気は、前記側方から吸引された空気と同様に、フィルタ３９の側面部を通過することにより清浄され、側壁４の第２空気流通口１４を介してシロッコファン３５の後方に至る。また、一部の空気は、フィルタ３９と本体ケース２の側壁４および前壁３との隙間と、前壁３の第１空気流通口１３とを通ってシロッコファン３５に至る。
【００３０】
このようにしてシロッコファン３５に至った空気は、空気排出流路６内において前記シロッコファン３５の周囲を通り、この空気排出流路６の底部分で前記マイナスイオン発生装置４０によって清浄した空気中の微粒子がマイナスイオン化され、空気排出口８から空気清浄機の外部、即ち、室内に循環供給される。
【００３１】
このように、本実施形態の前記空気清浄機では、前方から本体１内に室内の空気が吸引されるとともに、側方から本体１内に室内の空気が吸引されるため、吸引する風量および循環供給する風量を増加することができる。
【００３２】
また、ユーザがマイナスイオンモードを選択した場合、制御手段は、前記モータ３３を間欠的に動作させるとともに、マイナスイオン発生装置４０を継続的に動作させる。
【００３３】
具体的には、前記モータ３３は、２秒オンして６０秒オフした後、再び２秒オンして６０秒オフする動作を繰り返す。これにより、モータ３３の動作によって回転するシロッコファン３５は、２秒間、モータ３３による動力で回転した後に惰性により回転し、その惰性回転が完全に停止する前に再びモータ３３の動力で回転する動作を繰り返す。なお、前記モータ３３を動作させる時間および停止する時間は希望に応じて変更が可能である。
【００３４】
このように、本実施形態では、空気清浄は行うことなくマイナスイオンのみを室内に供給するマイナスイオンモードを設けているため、ユーザの希望に応じた機能のみを提供することができる。また、このマイナスイオンモードでは、モータ３３を間欠的に動作させ、シロッコファン３５を強制回転させる状態と惰性回転させる状態とで継続的に回転する構成としているため、消費電力を低減できるとともに、フィルタ３９の劣化を防止できる。
【００３５】
【発明の効果】
以上の説明から明らかなように、本発明の空気清浄機では、マイナスイオン発生装置を、空気排出流路の空気排出口から該空気排出流路内を臨んだ状態で、前記シロッコファンの背部に位置するように配設しているため、棒状の部材を空気排出口から差し込んでも、この棒状部材がマイナスイオン発生装置に干渉することを防止できる。そのため、ユーザの誤使用による感電を確実に防止できる。また、空気排出口から空気排出流路内に埃が入り込んでも、その埃がマイナスイオン発生装置に付着することはないため、埃が付着することによる放電の発生を確実に防止できる。
【図面の簡単な説明】
【図１】本発明の実施形態に係る空気清浄機を示す断面図である。
【図２】本体ケースを示し、（Ａ）は正面図、（Ｂ）は背面図である。
【図３】本体ケースから側面カバーおよび前面カバーを取り外した状態を示す側面図である。
【図４】図１の空気清浄機を示し、（Ａ）は正面図、（Ｂ）は背面図である。
【符号の説明】
１…本体、２…本体ケース、６…空気排出流路、７…隔壁、８…空気排出口、１６…空気吸引流路、２１Ａ，２１Ｂ…側面カバー、２５…前面カバー、２９…後面カバー、３２…上面カバー、３３…モータ、３４…回転軸、３５…シロッコファン、３９…フィルタ、４０…マイナスイオン発生装置。
【図１】
2004073930.tif 000003
【図２】
2004073930.tif 000004
【図３】
2004073930.tif 000005
【図４】
2004073930.tif 000006